(57)【要約】      （修正有）【課題】積雪深を予測する積雪予測装置を提供する。【解決手段】現在または過去の第１時点における積雪深を示す積雪深情報と、第１時点から将来の第２時点までの期間における気温に関する第１気温情報と、を取得する取得部１０ａと、第１気温情報と、気温が融雪に影響を与える度合いを示す第１係数と、に基づいて、第１時点から第２時点までに融雪した高さを示す融雪高を算出する第１融雪高算出部１０ｅと、積雪深情報と、融雪高を示す融雪高情報と、に基づいて、第２時点の積雪深を算出する第２融雪高算出部１０ｆを備える。【選択図】図３
2019219306.tif 000002
【特許請求の範囲】
【請求項１】
現在または過去の第１時点における積雪深を示す積雪深情報と、前記第１時点から将来の第２時点までの期間における気温に関する第１気温情報と、を取得する取得部と、
前記第１気温情報と、気温が融雪に影響を与える度合いを示す第１係数と、に基づいて、前記第１時点から前記第２時点までに融雪した高さを示す融雪高を算出する第１算出部と、
前記積雪深情報と、前記融雪高を示す融雪高情報と、に基づいて、前記第２時点の積雪深を算出する第２算出部と、
を備えることを特徴とする積雪予測装置。
【請求項２】
前記第１気温情報は、前記第１時点から前記第２時点までの期間において、所定の時点の気温が所定の基準気温を超過した分に関する値の情報であり、
前記第１算出部は、前記第1気温情報と、前記所定の時点の気温が前記基準気温を超えた分に関する値が融雪に影響を与える度合いを示す第２係数と、に基づいて前記第１時点から前記第２時点までの前記融雪高を算出する
ことを特徴とする請求項１に記載の積雪予測装置。
【請求項３】
前記第１気温情報は、１日の平均気温を示す情報であり、
前記第１算出部は、前記平均気温が所定の気温を超過している場合に、前記第１気温情報と、前記第１係数と、に基づいて前記融雪高を算出する
ことを特徴とする請求項１に記載の積雪予測装置。
【請求項４】
前記取得部は、前記第１時点から前記第２時点までの期間における、天候を示す天候情報と、降水量を示す降水量情報と、を取得し、
前記天候情報と、前記降水量情報と、天候が、雪、または、みぞれのときに降水量が積雪に影響を与える度合いを示す第３係数と、に基づいて、前記第１時点から前記第２時点までに積雪した高さを示す積雪高を算出する第３算出部
をさらに備え、
前記第２算出部は、前記積雪深情報と、前記融雪高情報と、前記積雪高を示す積雪高情報と、に基づいて、前記第２時点の積雪深を算出する
ことを特徴とする請求項１乃至請求項３の何れか一項に記載の積雪予測装置。
【請求項５】
前記取得部は、前記第１時点から前記第２時点までの期間における、気温を示す第２気温情報と、降水量を示す降水量情報と、を取得し、
前記第２気温情報と、前記降水量情報と、気温が所定の値以下のときに降水量が積雪に影響を与える度合いを示す第４係数と、に基づいて、前記第１時点から前記第２時点までに積雪した高さを示す積雪高を算出する第３算出部
をさらに備え、
前記第２算出部は、前記積雪深情報と、前記融雪高情報と、前記積雪高を示す積雪高情報と、に基づいて、前記第２時点の積雪深を算出する
ことを特徴とする請求項１乃至請求項３の何れか一項に記載の積雪予測装置。
【請求項６】
前記取得部は、前記第１時点から前記第２時点までの期間における、天候を示す天候情報と、気温を示す第２気温情報と、降水量を示す降水量情報と、を取得し、
前記天候情報と、前記第２気温情報と、前記降水量情報と、天候が、雪、または、みぞれのときに降水量が積雪に影響を与える度合いを示す第３係数と、気温が所定の値以下のときに降水量が積雪に影響を与える度合いを示す第４係数と、に基づいて、前記第１時点から前記第２時点までに積雪した高さを示す積雪高を算出する第３算出部
をさらに備え、
前記第２算出部は、前記積雪深情報と、前記融雪高情報と、前記積雪高を示す積雪高情報と、に基づいて、前記第２時点の積雪深を算出する
ことを特徴とする請求項１乃至請求項３の何れか一項に記載の積雪予測装置。
【請求項７】
コンピュータが、
現在または過去の第１時点における積雪深を示す積雪深情報と、前記第１時点から将来の第２時点までの期間における気温に関する第１気温情報と、を取得する取得ステップと、
前記第１気温情報と、気温が融雪に影響を与える度合いを示す第１係数と、に基づいて、前記第１時点から前記第２時点までに融雪した高さを示す融雪高を算出する第１算出ステップと、
前記積雪深情報と、前記融雪高を示す融雪高情報と、に基づいて、前記第２時点の積雪深を算出する第２算出ステップと、
を実現する積雪予測方法。
【発明の詳細な説明】
【技術分野】
【０００１】
本発明は、積雪深を予測する積雪予測装置、積雪予測方法に関する。
【背景技術】
【０００２】
例えば、振動センサーを用いた積雪量を予測する装置が開示されている。
【先行技術文献】
【特許文献】
【０００３】
【特許文献１】特開２００１−１５３９６８号公報
【発明の概要】
【発明が解決しようとする課題】
【０００４】
特許文献１には、樹木に伝わる音を樹木の高さ方向に沿って測定し、その音の樹木の高さ方向における音圧の変化に基づいて積雪量を予測する装置が開示されている。音圧の変化を捉えるために、圧電素子を備えた振動センサーを、樹木の表面に密接するように、樹木における樹木音の音圧が相対的に高い位置に、所望の設置間隔で装着している。特許文献１に記載されている装置では、音圧レベルのピークを検出することにより、このピークに対応する高さを、その年の予測積雪量として特定している。しかしながら、該装置では、正確な予測最深積雪を得るためには３ケ月〜６ケ月前から観測する必要があるため、数日後程度の積雪量を予測することはできなかった。
【課題を解決するための手段】
【０００５】
前述した課題を解決する主たる本発明は、現在または過去の第１時点における積雪深を示す積雪深情報と、前記第１時点から将来の第２時点までの期間における気温に関する第１気温情報と、を取得する取得部と、前記第１気温情報と、気温が融雪に影響を与える度合いを示す第１係数と、に基づいて、前記第１時点から前記第２時点までに融雪した高さを示す融雪高を算出する第１算出部と、前記積雪深情報と、前記融雪高を示す融雪高情報と、に基づいて、前記第２時点の積雪深を算出する第２算出部と、を備える。
本発明の他の特徴については、添付図面および本明細書の記載により明らかとなる。
【発明の効果】
【０００６】
本発明によれば、将来の期間における取得可能な気温に関する情報に基づいて、該将来の期間における積雪深を予測することができる。
【図面の簡単な説明】
【０００７】
【図１】積雪予測装置を含むシステム系統の一例を示す図である。
【図２】積雪予測装置のハードウェア構成の一例を示す図である。
【図３】積雪予測装置のソフトウェア構成の一例を示す図である。
【図４】過去諸量情報テーブルの一例を示す表である。
【図５】予測諸量情報テーブルの一例を示す表である。
【図６】第１融雪高係数情報テーブルの一例を示す表である。
【図７】第２融雪高係数情報テーブルの一例を示す表である。
【図８】第１積雪高係数情報テーブルの一例を示す表である。
【図９】第２積雪高係数情報テーブルの一例を示す表である。
【図１０】気温と第２基準気温との関係の一例を示す基準グラフである。
【図１１】積雪予測装置の動作手順の一例を示すフロー図である。
【発明を実施するための形態】
【０００８】
本明細書および添付図面の記載により、少なくとも以下の事項が明らかとなる。以下の説明において、同一符号を付した部分は同一の要素を表し、その基本的な構成および動作は同様であるものとする。
【０００９】
＝＝＝積雪予測装置１０＝＝＝
積雪予測装置１０は、現在または過去の所定の第１時点から将来の所定の第２時点までの期間において、融雪する雪の量および新たに積雪する雪の量を算出することで、第２時点における積雪深を予測する装置である。
【００１０】
図１は、積雪予測装置１０を含むシステム系統の一例を示す図である。図１に示すように、積雪予測装置１０は、例えば、通信ネットワーク１０００を介して、気象庁データベース１００と、各種センサー２００（例えば、積雪センサー２１０、気温センサー２２０、雨量センサー２３０および日射センサー２４０）と、通信可能に接続されている。通信ネットワーク１０００とは、インターネット回線でもよいし、積雪予測装置１０と直接無線通信可能な回線であってもよい。積雪予測装置１０は、積雪深を予測するための各種情報を気象庁データベース１００から取得してよい。また、各種センサー２００から取得してデータを記憶装置１３に格納して、積雪深の予測に利用してもよい。なお、積雪予測装置１０と、各種センサー２００のうち所定のセンサーと、で構成される図１に示すような積雪予測システム１として構築されていてもよい。
【００１１】
積雪予測装置１０は、第２時点における積雪深を算出するために、第１時点における積雪深から融雪する雪の量を削減し、第１時点における積雪深に第１地点から第２時点にかけて新たに積雪する雪の量を加算する。
【００１２】
ここで、融雪する雪の量とは、第１時点から第２時点までの期間における気温に関する値に、所定の係数を適用して算出される値である。気温に関する値とは、例えば、気温そのものを示す値か、又は、所定の時点における気温が予め定められた所定の基準気温を超過した分の値である。所定の係数とは、気温が融雪に影響を与える度合いを示す予め定められた係数であり、少なくとも、予め定められた所定の基準気温から超過した気温そのものに対する第１融雪高係数と、所定の時点における気温が予め定められた所定の基準気温を超過した分の積算値に対する第２融雪高係数と、が定められている。なお、以下において、融雪する雪の量を“融雪高”として説明する。融雪高の算出手法については、詳細に後述する。
【００１３】
また、積雪する雪の量とは、第１時点から第２時点までの期間における天候、気温および降水量に、所定の係数を適用して算出される値である。所定の係数とは、所定の天候および気温において降水量が積雪に影響を与える度合いを示す予め定められた係数であり、少なくとも、天候に対する第１積雪高係数と、気温に対する第２積雪高係数と、が定められている。なお、以下において、積雪する雪の量を“積雪高”として説明する。積雪する雪の量の算出手法については、詳細に後述する。
【００１４】
なお、説明の便宜上、以下においては、一例として、第１時点を現在とし、第２時点を第１時点から２日後の予測日として説明する。ただし、第１時点を過去の所定の時点としてもよく、また、将来の第２時点は、気温、天候および降水量を示す情報が取得できる将来の日であればよく、第１時点からの経過日数は限定されない。つまり、第２時点は、例えば、第１時点の翌日でもよいし、第１時点の１週間後の日でもよい。
【００１５】
上述した機能を有する積雪予測装置１０について、以下詳細に説明する。
【００１６】
図２は、積雪予測装置１０のハードウェア構成の一例を示す図である。図２に示すように、積雪予測装置１０のハードウェアは、プロセッサ１１と、メモリ１２と、記憶装置１３と、入力装置１４と、出力装置１５と、通信装置１６と、を含んで構成されている。プロセッサ１１は、例えば、ＭＰＵ、ＣＰＵなどである。メモリ１２は、例えば、ＲＡＭ、ＲＯＭ、ＮＶＲＡＭなどである。記憶装置１３は、例えば、ＲＡＭ、ＲＯＭ、ＮＶＲＡＭなどである。入力装置１４は、ユーザから操作入力を受け付けるユーザインタフェースであり、例えば、操作入力装置（キーボード、マウス、タッチパネル等）、音声入力装置（マイクロフォン等）などである。出力装置１５は、各種情報をユーザに提供するユーザインタフェースであり、例えば、表示装置（液晶モニタ等）、音声出力装置（スピーカ等）などである。通信装置１６は、通信ネットワーク１０００に接続するためのインタフェースであり、例えば、無線ＬＡＮアダプタ、ＮＩＣ（Network Interface Card）などである。
【００１７】
図３は、積雪予測装置１０のソフトウェア構成の一例を示す図である。図３に示すように、積雪予測装置１０のソフトウェアは、取得部１０ａと、モード選択部１０ｂと、第１判定部１０ｃと、第２判定部１０ｄと、第１融雪高算出部１０ｅと、第２融雪高算出部１０ｆと、積雪高算出部１０ｇと、積雪算出部１０ｈと、の機能部を有する。これらの機能部は、例えば、積雪予測装置１０のプロセッサ１１がメモリ１２に格納されているプログラムを読み出して実行することで実現される。なお、これらの機能部は、例えば、ＡＳＩＣなどのハードウェアにより実現されてもよい。また、該プロセッサ１１が外部記憶媒体に格納されているプログラムを読み出して実行することにより実現されてもよい。
【００１８】
なお、図３において、積雪予測装置１０が１台の情報処理装置（コンピュータ）で各機能を実現しているように示しているがこれに限定されない。例えば、上述した各機能を２台以上の情報処理装置で分散して実現するように構成されていてもよい。以下においては、一例として１台の情報処理装置で各機能を実現することとして説明する。
【００１９】
積雪予測装置１０は、通信装置１６を介して気象庁データベース１００や各種センサー２００などから入力される各種情報、上述した各機能部で算出される各種情報を記憶装置１３の各種テーブルに格納する機能を有する。
【００２０】
具体的に述べると、記憶装置１３には、図４に例示するような、過去または現在における、積雪深を示す積雪深情報と、気温を示す気温情報と、天候を示す天候情報と、降水量を示す降水量情報と、が対応付けられた過去諸量情報テーブル１０ｉと、図５に例示するような、将来における、気温を示す気温情報と、天候を示す天候情報と、降水量を示す降水量情報と、が対応付けられた予測諸量情報テーブル１０ｊと、図６に例示するような、第１基準気温を示す気温情報と、予め定められた第１融雪高係数と、が対応付けられた第１融雪高係数情報テーブル１０ｋと、図７に例示するような、第２基準気温を示す気温情報と、予め定められた第２融雪高係数と、が対応付けられた第２融雪高係数情報テーブル１０Ｌと、図８に例示するような、雪やみぞれ等の天候を示す天候情報と、予め定められた第１積雪高係数と、が対応付けられた第１積雪高係数情報テーブル１０ｍと、図９に例示するような、気温と、予め定められた第２積雪高係数と、が対応付けられた第２積雪高係数情報テーブル１０ｎと、が格納されている。なお、各テーブルに示されている数値は一例を示すものであり、また、説明の便宜上、各テーブルにおける第１融雪高係数、第２融雪高係数、第１積雪高係数および第２積雪高係数を記号列で示しているが、該記号列には予め定められた数値が設定されているものとする。また、図８に示す第１積雪高係数情報テーブル１０ｍでは天候情報として“雪”および“みぞれ”を示しているが、この表示は例示であり、例えば“雪”または“みぞれ”に対応する気象庁の予報文の表示を含むものとする。
【００２１】
以下、積雪予測装置１０の各機能部について詳細に説明する。
【００２２】
取得部１０ａは、気象庁データベース１００や各種情報を観測する各種センサー２００から出力される各種情報を、通信装置１６を介して取得する機能部である。
【００２３】
モード選択部１０ｂは、融雪高を算出する際に、気温そのものから第１基準気温を減算したものを変数として利用するモード（以下、「第１モード」と称する。）と、気温と予め定められた第２基準気温との関係の積算値を変数として利用するモード（以下、「第２モード」と称する。）のいずれかを選択する機能部である。モード選択部１０ｂは、例えば、積雪を予測する地域ごとに、第１モードを選択するのか、第２モードを選択するのか、を紐づけしていてもよい。これにより、予測地域における特有の状況に応じて最適な処理モードを選択できる。また、例えば、月ごとに、第１モードを選択するのか、第２モードを選択するのか、を紐づけしていてもよい。これにより、月ごとにおける天候および気温の特有の変化に応じて最適な処理モードを選択できる。さらに、積雪予測装置１０を操作する操作者が、操作のたびに選択をしてもよい。
【００２４】
第１判定部１０ｃは、現在の積雪深と所定の閾値とを比較する機能部である。後述する第１融雪高算出部１０ｅおよび第２融雪高算出部１０ｆは、第１判定部１０ｃで比較した結果に基づいて、融雪高を算出する算出方法を切り替える。
【００２５】
なお、所定の閾値とは、例えば、現在から予測日までの日数に応じて、現在から予測日までの日数が大きいほど、大きく設定される値である。このことは、予測日までに経過する日数が大きいほど、現在から予測日までに融雪する量が多くなることを考慮したものである。
【００２６】
第２判定部１０ｄは、第１モードにおいて第１判定部１０ｃが現在の積雪深が所定の閾値よりも大きいと判定した場合に、現在から予測日までの気温が第１基準気温を超過、例えば０℃を超えるか否かを判定する機能部である。なお、現在から予測日までの気温とは、例えば、１日のうちの所定の時点における気温や１日の平均気温などであるが、以下においては１日の平均気温として説明する。
【００２７】
第１融雪高算出部１０ｅは、第１判定部１０ｃおよび第２判定部１０ｄの判定結果に基づいて融雪高を算出する機能部である。第１融雪高算出部１０ｅでは、気温が所定の第１基準気温を超過、例えば第１基準気温を“０℃”に設定した場合、０℃を超える融雪する日において、当該気温から第１基準気温を減算した結果を示す値に、所定の第１基準気温に応じた第１融雪高係数を適用して融雪高を算出する。第１融雪高係数とは、所定の気温が融雪に影響を与える度合いを示す係数であり、予め定められた値である。具体的な算出方法については、積雪予測装置１０の処理手順において詳細に後述する
【００２８】
第２融雪高算出部１０ｆは、第２モードにおいて第１判定部１０ｃの判定結果に基づいて融雪高を算出する機能部である。第２融雪高算出部１０ｆでは、第１判定部１０ｃが現在の積雪深が所定の閾値よりも大きいと判定した場合、翌日以降において、時刻毎の気温が所定の第２基準気温を超過する分の積算値を算出する。該積算値に、所定の第２基準気温に応じた第２融雪高係数を適用して融雪高を算出する。第２融雪高係数とは、所定の時点の気温が第２基準気温を超えた分に関する値が融雪に影響を与える度合いを示す係数であり、予め定められた値である。具体的な算出方法については、積雪予測装置１０の処理手順において詳細に後述する。
【００２９】
積雪高算出部１０ｇは、現在から予測日までに新たに積雪する積雪高を算出する機能部である。積雪高算出部１０ｇでは、天候情報と、気温情報と、降水量情報と、天候が“雪”または“みぞれ”のときに降水量が積雪に影響を与える度合いを示す第１積雪高係数と、気温が所定の値以下（例えば氷点下等）のときに、降水量が積雪に影響を与える度合いを示す第２積雪高係数と、に基づいて、現在から予測日までの積雪高を算出する。第１積雪高係数および第２積雪高係数は、予め定められた値である。
【００３０】
積雪高算出部１０ｇでは、天候が雪のときに降水量がある場合や、気温が所定の値（例えば氷点下等）のときに降水量がある場合に、その状況において積雪が生じることを考慮して積雪高を算出する。なお、積雪高算出部１０ｇでは、天候情報と、降水量情報と、第１積雪高情報と、のみで積雪高を算出してもよく、また、気温情報と、降水量情報と、第２積雪高情報と、のみで積雪高を算出してもよい。また、天候が雪のときの降水量に基づいて積雪を計算することにかえて、天候がみぞれのときの降水量に基づいて積雪を計算してもよい。具体的な算出方法については、積雪予測装置１０の処理手順において詳細に後述する。
【００３１】
積雪算出部１０ｈは、現在の積雪深情報と、融雪高を示す融雪高情報と、積雪高を示す積雪高情報と、に基づいて、予測日の積雪深を算出する機能部である。なお、積雪算出部１０ｈでは、現在の積雪深情報と融雪高情報のみで予測日の積雪深を算出してもよい。具体的な算出方法については、積雪予測装置１０の処理手順において詳細に後述する。
【００３２】
＝＝＝積雪予測装置１０の算出手順＝＝＝
図１１は、積雪予測装置１０の動作手順の一例を示すフロー図である。図１１を参照しつつ、積雪予測装置１０の算出手順の一例について以下のとおり説明する。なお、以下においては、現在から２日後の積雪深を予測するものとし、現在の１日後を翌日、２日後を予測日として説明する。
【００３３】
操作者は、予測する予測地域を選定する。積雪予測装置１０は、設定された予測地域ごとに全予測地域の処理を実行する（Ｓ１）。
【００３４】
積雪予測装置１０は、現在から予測日までの融雪高を算出する処理を以下のとおり実行する（Ｓ２〜Ｓ１４）。
【００３５】
まず、所定の予測地域において、モード選択部１０ｂは、第１モードか第２モードを選択する（Ｓ２）。モード選択部１０ｂは、所定の予測地域に予め紐づけされているモードを選択してもよいし、予測月に予め紐づけされているモードを選択してもよいし、操作者からの指示信号に基づいてモードを選択してもよい。
【００３６】
モード選択部１０ｂにおいて平均気温に基づいて融雪高を算出する第１モードが選択された場合（Ｓ２：第１モード）、第１判定部１０ｃは、現在の積雪深が所定の閾値を超えるか否かを判定する（Ｓ３）。このとき、第１判定部１０ｃは、過去諸量情報テーブル１０ｉから現在の積雪深情報を取得し、現在の積雪深と予め定められた所定の閾値とを比較する。具体的に述べると、第１判定部１０ｃは、例えば、所定の閾値が“２ｃｍ”に設定されたとき、現在の積雪深が“１ｃｍ”である場合、現在の積雪深が予測日までに全て融雪するように、第１融雪高算出部１０ｅまたは第２融雪高算出部１０ｆに処理を移行させる。一方、現在の積雪深が“３ｃｍ”である場合、現在の積雪深が予測日までに全て融雪しないため、融雪高を計算させるように、第１融雪高算出部１０ｅまたは第２融雪高算出部１０ｆに処理を移行させる。
【００３７】
第１判定部１０ｃにおいて現在の積雪深が所定の閾値以下と判定された場合（Ｓ３：閾値以下）、第１融雪高算出部１０ｅは、融雪高に現在の積雪深を設定する（Ｓ４）。これにより、現在から予測日までに現在の積雪が全て融雪することとして予測日の積雪深が算出される。
【００３８】
第１判定部１０ｃにおいて現在の積雪深が所定の閾値以下と判定された場合（Ｓ３：閾値超過）、第２判定部１０ｄは、予測諸量情報テーブル１０ｊから翌日の平均気温（以下、「翌日気温」と称する。）および予測日の平均気温（以下、「予測日気温」と称する。）を取得して、翌日気温および予測日気温が第１基準気温を超過、例えば０℃を超過するか否かを判定する（Ｓ５，Ｓ７，Ｓ９）。なお、平均気温は、例えば、予測諸量情報テーブル１０ｊの例えば０時〜２３時までの気温を平均した値である。また、第２判定部１０ｄの説明のとおり、平均気温にかえて１日のうちの所定の時刻の気温が第１基準気温を超過、例えば０℃を超過するか否かを判定してもよい。
【００３９】
第２判定部１０ｄにおいて翌日気温および予測日気温が第１基準気温を超過、例えば０℃を超過する場合（Ｓ５：ＹＥＳ）、第１融雪高算出部１０ｅは、第１融雪高係数情報テーブル１０ｋから第１融雪高係数を取得して、翌日および予測日における融雪高の合計を式（１）により算出する（Ｓ６）。なお、式（１）における第１融雪高係数は、所定の第１基準気温に対応する係数である。また、式（１）の第１項が翌日における融雪高であり、第２項が予測日における融雪高である。
［数１］
融雪高  ＝（（翌日気温−第１基準気温）×第１融雪高係数）＋（（予測日気温−第１基準気温）×第１融雪高係数）・・（１）
【００４０】
第２判定部１０ｄにおいて翌日気温が第１基準気温を超過、例えば０℃を超過し予測日気温が第１基準気温以下、例えば氷点下である場合（Ｓ７：ＹＥＳ）、第１融雪高算出部１０ｅは、第１融雪高係数情報テーブル１０ｋから第１融雪高係数を取得して、翌日における融雪高を式（２）により算出する（Ｓ８）。つまり、この場合、予測日においては気温が第１基準気温以下、例えば氷点下であるため融雪が生じないように算出する。
［数２］
融雪高  ＝  （翌日気温−第１基準気温）×第１融雪高係数    ・・・・・・・・・・・・・・（２）
【００４１】
第２判定部１０ｄにおいて翌日気温が第１基準気温以下、例えば氷点下であり予測日気温が第１基準気温を超過、例えば０℃を超過する場合（Ｓ９：ＹＥＳ）、第１融雪高算出部１０ｅは、第１融雪高係数情報テーブル１０ｋから第１融雪高係数を取得して、予測日における融雪高を式（３）により算出する（Ｓ１０）。つまり、この場合、翌日においては気温が第１基準気温以下、例えば氷点下であるため融雪が生じないように算出する。
［数３］
融雪高  ＝  （予測日気温−第１基準気温）×第１融雪高係数    ・・・・・・・・・・・・・・（３）
【００４２】
第２判定部１０ｄにおいて上述した条件以外である、翌日気温および予測日気温が第１基準気温以下、例えば氷点下である場合（Ｓ９：ＮＯ）、現在から予測日にかけて融雪しないため、融雪高を“０”とする（Ｓ１１）。
【００４３】
上述したＳ５〜Ｓ１１の処理により、各日の平均気温が第１基準気温を超過、例えば０℃を超過する場合は当該日において融雪が生じ、平均気温が第１基準気温以下、例えば０℃以下の場合は当該日において融雪が生じない、という状況を融雪高の算出に反映できる。
【００４４】
次に、モード選択部１０ｂにおいて気温と第２基準気温との関係に基づいて融雪高を算出する第２モードが選択された場合（Ｓ２：第２モード）の融雪高の算出方法について説明する。
【００４５】
第１判定部１０ｃは、現在の積雪深が所定の閾値を超えるか否かを判定する（Ｓ１２）。このとき、第１判定部１０ｃは、過去諸量情報テーブル１０ｉから現在の積雪深情報を取得し、現在の積雪深と予め定められた所定の閾値とを比較する。
【００４６】
第１判定部１０ｃにおいて現在の積雪深が所定の閾値以下と判定された場合（Ｓ１２：閾値以下）、第１融雪高算出部１０ｅは、融雪高に現在の積雪深を設定する（Ｓ１３）。これにより、現在から予測日までに現在の積雪が全て融雪するように予測日の積雪深が算出される。
【００４７】
第１判定部１０ｃにおいて現在の積雪深が所定の閾値よりも大きいと判定された場合（Ｓ１２：閾値超過）、第２融雪高算出部１０ｆは、現在から予測日にかけて気温が第２基準気温を超過した気温積算値を算出する。第２融雪高算出部１０ｆは、第２融雪高係数情報テーブル１０Ｌから第２基準気温に対応する第２融雪高係数を取得して、翌日および予測日における融雪高の合計を式（４）により算出する（Ｓ１４）。なお、以下において、翌日の気温積算値を翌日気温積算値とし、予測日の気温積算値を予測日気温積算値として説明する。
［数４］
融雪高  ＝  （翌日気温積算値×第２融雪高係数）
＋（予測日気温積算値×第２融雪高係数）    ・・・・・・・（４）
【００４８】
ここで、上述した気温積算値について、図１０を参照しながら以下説明する。
【００４９】
図１０は、気温と第２基準気温との関係の一例を示す基準グラフである。図１０では、一例として、第２基準気温を“０℃”に設定している場合、各時刻における気温が第２基準気温を何度超えているかを棒グラフ上に数値で示している。この図１０のグラフは、例えば、第１判定部１０ｃが予測諸量情報テーブル１０ｊから時刻情報と気温情報とを取得することにより作成される。気温積算値の算出方法について具体的に述べると、７時では１℃を示しているため、第２基準気温を超過する気温の値として“１”が算出される。同様に、各時刻における第２基準気温を超過する気温の値を算出し、この値を１日分積算する。このように積算して算出される図１０の気温積算値は“２６．６”となる。なお、設定される第２基準気温は、例えば融雪が生じにくい気温である“１℃”や“−１℃”などであってもよく、特に限定されない。
【００５０】
上述したＳ１４の処理のように、各日の各時刻における気温が第２基準気温（例えば０℃）を超過する値を積算して気温積算値を用いることにより、１日における融雪する可能性のある状況を、適切に融雪高の算出に反映できる。
【００５１】
次に、積雪予測装置１０は、現在から予測日までの積雪高を算出する積雪高算出部１０ｇにおける処理を以下のとおり実行する（Ｓ１５）。
【００５２】
積雪高算出部１０ｇは、予測諸量情報テーブル１０ｊから天候情報および降水量情報を取得し、第１積雪高係数情報テーブル１０ｍから第１積雪高係数を取得し、第２積雪高係数情報テーブル１０ｎから第２積雪高係数を取得し、翌日および予測日における合計の積雪高を式（５）により算出する（Ｓ１５）。なお、以下において、翌日の天候を翌日天候とし、翌日の平均気温を翌日気温とし、翌日の降水量を翌日降水量とし、予測日の天候を予測日天候とし、予測日の平均気温を予測日気温とし、予測日の降水量を予測日降水量とする。
［数５］
積雪高  ＝  （翌日天候×翌日降水量×第１積雪高係数）
＋（翌日気温×翌日降水量×第２積雪高係数）
＋（予測日天候×予測日降水量×第１積雪高係数）
＋（予測日気温×予測日降水量×第２積雪高係数）  ・・・・・・（５）
【００５３】
例えば、式（５）の第１項および第３項の翌日天候および予測日天候については“雪”の場合を“１”、それ以外の天候を”０”とする。第２項および第４項の翌日気温および予測日気温については“０℃以下”の場合を“１”、“０℃超過”の場合を“０”とする。ただし、上記の“雪”にかえて“みぞれ”などの場合に“１”としてもよい。また、上記の“０℃以下”、“０℃超過”にかえて“−１℃以下”、“−１℃超過”などの、降水量が積雪に影響する気温を設定してもよい。
【００５４】
次に、積雪算出部１０ｈは、現在の積雪深と、Ｓ２〜Ｓ１４の処理で算出された融雪高と、Ｓ１５の処理で算出された積雪高と、に基づいて予測日の積雪深を算出する（Ｓ１６）。積雪算出部１０ｈは、翌日および予測日における積雪深の合計を式（６）により算出する。
［数６］
予測日積雪深  ＝  現在積雪深−融雪高＋積雪高    ・・・・・・・・・・・（６）
【００５５】
これにより、現在から予測日までに現在の積雪が融雪する融雪高を減算し、現在の積雪に対して新たに積雪する積雪高を加算して、予測日の積雪深を算出できる。
【００５６】
上述したように、積雪予測装置１０は、Ｓ２〜Ｓ１６の処理を全予測地域に対して実行する（Ｓ１）。
【００５７】
＝＝＝まとめ＝＝＝
以上説明したように、本実施形態に係る積雪予測装置１０は、現在または過去の第１時点における積雪深を示す積雪深情報と、第１時点から将来の第２時点までの期間における気温に関する気温情報と、を取得する取得部１０ａと、気温情報と、気温が融雪に影響を与える度合いを示す第１，第２融雪高係数と、に基づいて、第１時点から第２時点までに融雪した高さを示す融雪高を算出する第１，第２融雪高算出部１０ｅ，１０ｆと、積雪深情報と、融雪高を示す融雪高情報と、に基づいて、第２時点の積雪深を算出する積雪算出部１０ｈと、を備える。本実施形態によれば、将来の気温情報に基づいて、現在から予測日にかけて気温が融雪に影響することを考慮できるため、適切に予測日の積雪深を算出できる。
【００５８】
また、本実施形態に係る積雪予測装置１０における気温情報は、第１時点から第２時点までの期間において、所定の時点の気温が所定の基準気温を超過した分に関する値の情報であり、第２融雪高算出部１０ｆは、該気温情報と、所定の時点の気温が基準気温を超えた分に関する値が融雪に影響を与える度合いを示す第２融雪高係数と、に基づいて第１時点から第２時点までの融雪高を算出する。本実施形態によれば、各時刻における気温が基準気温を超過した分を積算することにより、１日における各時刻の気温が融雪に影響を与える度合いを、融雪を算出するにあたり、より正確に反映できる。
【００５９】
また、本実施形態に係る積雪予測装置１０における気温情報は、１日の平均気温を示す情報であり、第１融雪高算出部１０ｅは、平均気温が所定の気温を超過している場合に、気温情報と、第１融雪高係数と、に基づいて融雪高を算出する。本実施形態によれば、取得容易な気温情報だけで単純に融雪高を算出できるため、容易にシステムを構築できる。
【００６０】
また、本実施形態に係る積雪予測装置１０における取得部１０ａは、第１時点から第２時点までの期間における、天候を示す天候情報と、気温を示す気温情報と、降水量を示す降水量情報と、を取得し、天候情報と、気温情報と、降水量情報と、天候が“雪”または“みぞれ”のときに降水量が積雪に影響を与える度合いを示す第１積雪高係数と、気温が所定の値以下（例えば氷点下）のときに降水量が積雪に影響を与える度合いを示す第２積雪高係数と、に基づいて、第１時点から第２時点までに積雪した高さを示す積雪高を算出する積雪高算出部１０ｇをさらに備え、積雪算出部１０ｈは、積雪深情報と、融雪高情報と、積雪高を示す積雪高情報と、に基づいて、第２時点の積雪深を算出する。本実施形態によれば、融雪高に加えて、現在から予測日までに新たに積雪した分を予測日の積雪深に反映することにより、より正確に予測日の積雪深を算出できる。
【００６１】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００６２】
１０  積雪予測装置
１０ａ  取得部
１０ｃ  第１判定部
１０ｄ  第２判定部
１０ｅ  第１融雪高算出部
１０ｆ  第２融雪高算出部
１０ｇ  積雪高算出部
１０ｈ  積雪算出部
【図１】
2019219306.tif 000003
【図２】
2019219306.tif 000004
【図３】
2019219306.tif 000005
【図４】
2019219306.tif 000006
【図５】
2019219306.tif 000007
【図６】
2019219306.tif 000008
【図７】
2019219306.tif 000009
【図８】
2019219306.tif 000010
【図９】
2019219306.tif 000011
【図１０】
2019219306.tif 000012
【図１１】
2019219306.tif 000013